(57)【要約】【課題】棚ガード部材の変形を防止することができるとともに、製造コストの低減を図ることのできるショーケースの棚構造を提供する。【解決手段】商品Ａの荷重が棚ガード部材３３を前方に曲げる力と棚ガード部材３３を上下方向に圧縮する力とに分散するように、棚板３１の上面に対して後方に傾斜させて棚ガード部材３３を設けたので、商品Ａの荷重を棚ガード部材３３の下端側を支点に上端を前方に曲げる力と棚ガード部材３３を上下方向に圧縮する力に分散させることにより、棚ガード部材３３を前方に曲げる力を減少させることができ、棚ガード部材３３の変形を防止することができる。また、棚ガード部材３３の変形を防止することができるので、板厚を厚く形成した棚ガード部材３３を利用したり、棚ガード部材３３の背面側に棚ガード部材３３を補強する部材を別途設ける必要はなく、製造コストの低減を図ることができる。【選択図】図６
2006288492.tif 000002
【特許請求の範囲】
【請求項１】
上面を前下りに傾斜するように設けられ、上面に載置された商品を前方に移動させる棚板と、棚板の前端側に幅方向に亘って上方に延びるように設けられ、その下端を棚板の前端に支持された棚ガード部材とを備え、棚板上の商品の前方への移動を棚ガード部材によって規制するようにしたショーケースの棚構造において、
前記棚ガード部材を、商品の荷重が棚ガード部材を前方に曲げる力と棚ガード部材を上下方向に圧縮する力とに分散するように、棚板の上面に対して後方に傾斜させて設けた
ことを特徴とするショーケースの棚構造。
【請求項２】
前記棚板の上面に対して棚ガード部材のなす角度を７５°以上８０°以下とした
ことを特徴とする請求項１記載のショーケースの棚構造。
【請求項３】
前記棚ガード部材を棚板の前端側に設けられた溝に圧入することにより着脱自在に設けた
ことを特徴とする請求項１または２記載のショーケースの棚構造。
【発明の詳細な説明】
【技術分野】
【０００１】
本発明は、棚板の上面を前下りに傾斜させることにより商品を前方に移動可能なショーケースの棚構造に関するものである。
【背景技術】
【０００２】
従来、この種のショーケースの棚構造としては、上面を前下りに傾斜するように設けられ、載置された商品を前方に移動させる棚板と、棚板の上面に対して垂直に延びるように棚板の前端側に幅方向に亘って設けられ、棚板上の商品の前方への移動を規制する棚ガード部材とを備えたものが知られている（例えば、特許文献１参照）。
【特許文献１】特開２００４−２７１１１８
【発明の開示】
【発明が解決しようとする課題】
【０００３】
しかしながら、従来のショーケースの棚構造において、棚板上に載置された商品の荷重は、棚ガード部材の下端側を支点に上端を前方に曲げる力として棚ガード部材に全て作用し、棚ガード部材を変形させる可能性があるため、棚ガード部材の変形を防止するために、板厚を大きく形成した棚ガード部材を使用したり、棚ガード部材の背面側に棚ガード部材を補強する部材を別途設けなければならず、製造コストが高くなるという問題点があった。
【０００４】
本発明は前記問題点に鑑みてなされたものであり、その目的とするところは、棚ガード部材の変形を防止することができるとともに、製造コストの低減を図ることのできるショーケースの棚構造を提供することにある。
【課題を解決するための手段】
【０００５】
本発明は前記目的を達成するために、上面を前下りに傾斜するように設けられ、上面に載置された商品を前方に移動させる棚板と、棚板の前端側に幅方向に亘って上方に延びるように設けられ、その下端を棚板の前端に支持された棚ガード部材とを備え、棚板上の商品の前方への移動を棚ガード部材によって規制するようにしたショーケースの棚構造において、前記棚ガード部材を、商品の荷重が棚ガード部材を前方に曲げる力と棚ガード部材を上下方向に圧縮する力とに分散するように、棚板の上面に対して後方に傾斜させて設けている。
【０００６】
これにより、棚板上に載置された商品の荷重が棚ガード部材を前方に曲げる力と棚ガード部材を上下方向に圧縮する力に分散されることから、棚ガード部材を前方に曲げる方向に作用する力が減少する。
【発明の効果】
【０００７】
本発明によれば、棚板上に載置された商品の荷重を棚ガード部材の下端側を支点に上端を前方に曲げる力と棚ガード部材を上下方向に圧縮する力に分散させることができるので、棚ガード部材を前方に曲げる力を減少させることができ、棚ガード部材の変形を防止することができる。また、棚ガード部材の変形を防止することができるので、板厚を大きく形成した棚ガード部材を使用したり、棚ガード部材の背面側に棚ガード部材を補強する部材を別途設ける必要はなく、製造コストの低減を図ることができる。
【発明を実施するための最良の形態】
【０００８】
図１乃至図６は本発明の一実施形態を示すもので、図１はショーケースの側面断面図、図２は商品棚の要部斜視図、図３は商品棚の側面図、図４は商品ガードの取付け動作を示す商品棚の側面図、図５は商品に作用する力を示す商品棚の側面図、図６は棚ガード部材に作用する力を示す側面図である。
【０００９】
本発明の棚構造を備えたショーケースは、前面に開口部を有するショーケース本体１０と、ショーケース本体１０内の底面側、背面側及び上面側に沿って形成された通風路２０とを備えている。
【００１０】
ショーケース本体１０は上面側、背面側及び底面側が断熱壁１１によって形成されている。また、ショーケース本体１０の左右両側面側は、上面側、背面側及び底面側が図示しない断熱壁によって形成されるとともに、断熱壁の上面側と底面側の間は図示しないガラス板によってそれぞれ覆われている。ショーケース本体１０内には、断熱壁１１の内面と間隔をおいて上面側、背面側及び底面側にそれぞれ上面板１２、背面板１３及び底板１４が設けられ、その内部に商品収納部１５が形成されている。
【００１１】
通風路２０は、断熱壁１１の内面と上面板１２、背面板１３及び底板１４との間に形成され、ショーケース本体１０の開口部の下端に空気吸入口２１が設けられるとともに、上端に空気吐出口２２が設けられている。また、底面側の通風路２０には空気を流通させるための送風機２３が設けられ、背面側の通風路２０の下部には空気を冷却するための冷却器２４が設けられている。
【００１２】
このように構成されたショーケースは、送風機２３によって空気吸入口２１から通風路２０内に吸入した空気を冷却器２４によって冷却し、冷却した空気を空気吐出口２２から吐出することにより商品収納部１５が冷却されるようになっている。
【００１３】
前記ショーケースの商品収納部１５には本発明の棚構造を有する商品棚３０が上下方向に複数段配置されている。各商品棚３０は、商品Ａを載置可能な棚板３１と、棚板３１を支持する左右一対の棚受３２と、棚板３１の前端側に設けられた棚ガード部材３３とを備え、各商品棚３０は棚板３１の上面を前方に向かって下り傾斜をなすように傾斜角度を変更可能に構成されている。
【００１４】
棚板３１は商品収納部１５内を幅方向に延びる平板状に形成され、その幅方向両端及び背面側には上方に延びる側壁３１ａが設けられている。また、棚板３１の前端側には棚ガード部材３３を保持可能な保持部３１ｂが幅方向に延びる溝状に形成されている。
【００１５】
各棚受３２は前後方向に延びるように形成され、棚板３１の左右両端側に連結されている。また、各棚受３２の後端には商品収納部１５に商品棚３０を係止するための係止片３２ａが設けられ、係止片３２ａは商品収納部１５の背面側に位置する左右一対の棚柱１５ａに設けられた上下複数の孔１５ｂのうち任意の孔１５ｂに係止可能となっている。
【００１６】
棚ガード部材３３は、アクリル樹脂等の透明な板状部材によって形成され、下端を棚板の保持部３１ｂに圧入することにより着脱自在に取付けられている。この場合、保持部３１ｂに取付けられた棚ガード部材３３は棚板３１の上面に対して上端がやや後方を向くように傾斜して取付けられるようになっており、その傾斜角度θは棚板３１の上面に対して棚ガード部材３３が７５°〜８０°の傾斜角度θ（ここでは７８°）をなすようになっている。
【００１７】
以上のように構成されたショーケースの棚構造において、商品棚３０の上面を傾斜させた状態で複数の商品Ａを棚板３１上に幅方向及び前後方向に並べて載置すると、棚板３１上の全ての商品Ａに働く重力のうち棚板３１の上面と平行な成分の力が荷重として棚ガード部材３３に作用する。また、棚板３１上の前端側に位置する商品Ａを取出すと、取出された商品Ａの後方に位置する商品Ａが前方に移動して棚ガード部材３３に衝突する力のうち棚板３１の上面と平行な成分の力が衝撃荷重として棚ガード部材３３に作用する。このとき、棚ガード部材３３は棚板３１の上面に対して傾斜角度θとなるように上端がやや後方を向くように傾斜しているため、前面側に位置する商品Ａは棚ガード部材３３の上端背面側に接触する。これにより、棚ガード部材３３に作用する各商品Ａの荷重は、棚ガード部材３３の下端側を支点に上端を前方に曲げる力と棚ガード部材３３を上下方向に圧縮する力に分解することができ、棚ガード部材３３に作用する各商品Ａの荷重が全て棚ガード部材３３を前方に曲げる力として作用することはなく、棚ガード部材３３の変形を防止することが可能となる。
【００１８】
このように、本実施形態のショーケースによれば、商品Ａの荷重が棚ガード部材３３を前方に曲げる力と棚ガード部材３３を上下方向に圧縮する力とに分散するように、棚板３１の上面に対して後方に傾斜させて棚ガード部材３３を設けたので、商品Ａの荷重を棚ガード部材３３の下端側を支点に上端を前方に曲げる力と棚ガード部材３３を上下方向に圧縮する力に分散させることにより、棚ガード部材３３を前方に曲げる力を減少させることができ、棚ガード部材３３の変形を防止することができる。また、棚ガード部材３３の変形を防止することができるので、板厚を厚く形成した棚ガード部材３３を利用したり、棚ガード部材３３の背面側に棚ガード部材３３を補強する部材を別途設ける必要はなく、製造コストの低減を図ることができる。
【００１９】
また、棚板３１の上面に対して棚ガード部材３３のなす角度を７５°以上８０°以下としたので、棚ガード部材３３の有効高さが低くなったり、棚板３１上の商品Ａを載置可能な面積が小さくなることはなく、従来と同様の高さ寸法を有する商品Ａを収納することができるとともに、商品収納量の減少を防止することができる。
【００２０】
また、棚ガード部材３３を棚板３１の前端側に設けられた保持部３１ｂに圧入することにより着脱自在に取付けたので、商品Ａの高さ寸法に応じて高さの異なる棚ガード部材３３を取付けることができ、複数種類の商品Ａを収納することが可能となる。
【００２１】
尚、前記実施形態では、棚板３１の上面に載置された商品が棚ガード部材３３の上端背面側に接触するようにしたものを示したが、図７に示すように、棚ガード部材３３の上端背面側に商品Ａの側面と当接可能な当接面３３ａを幅方向に亘って形成するようにしてもよい。この場合、当接面３３ａに商品Ａの荷重が加わることから棚ガード部材３３が部分的に破損したり変形したりすることはない。
【図面の簡単な説明】
【００２２】
【図１】本発明の一実施形態を示す棚構造を備えたショーケースの側面断面図
【図２】商品棚の要部斜視図
【図３】商品棚の側面図
【図４】商品ガードの取付け動作を示す商品棚の側面図
【図５】商品に作用する力を示す商品棚の側面図
【図６】棚ガード部材に作用する力を示す側面図
【図７】その他の例を示す商品棚の側面図
【符号の説明】
【００２３】
３０…商品棚、３１…棚板、３１ｂ…保持部、３３…棚ガード部材。
【図１】
2006288492.tif 000003
【図２】
2006288492.tif 000004
【図３】
2006288492.tif 000005
【図４】
2006288492.tif 000006
【図５】
2006288492.tif 000007
【図６】
2006288492.tif 000008
【図７】
2006288492.tif 000009